(57)【要約】【課題】導管を通す天井または壁のような構造部分における高い延焼防止機能を保証し、かつ組立が簡単になる導通路装置を得る。【解決手段】天井もしくは壁のような構造部分３０に設置する導通路装置であって、チャンネル３１を包囲するスリーブ部１４，１５を有する少なくとも２個の枠体１２，１３よりなる枠体１１を設け、少なくとも一方のスリーブ部１４を、一方の端部１８から他方の端部１９に向かって錐状体をなすよう先細テーパ付きに構成した該導通路装置において、チャンネル３１に挿入可能な少なくとも１個の差込体２０を設け、これら差込体２０に錐状体部２１を設け、この錐状体部２１をスリーブ部１４の錐状体の先細テーパ輪郭に適合する形状にする。少なくとも１個の差込体２０の錐状体部２１の外面に、膨張性填隙材料で構成した填隙層２６を設け、また差込体２０の内部空間２３に填隙材料を充填する。【選択図】図３
2006162070.tif 000002
【特許請求の範囲】
【請求項１】
天井、もしくは壁のような構造部分（３０）に設置する導通路装置であって、チャンネル（３１）を包囲するスリーブ部（１４，１５）を有する少なくとも２個の枠体（１２，１３）よりなる枠体（１１）を設け、少なくとも一方のスリーブ部（１４）を、一方の端部（１８）から他方の端部（１９）に向かって錐状体をなすよう先細テーパ付きに構成した該導通路装置において、前記チャンネル（３１）に挿入可能な少なくとも１個の差込体（２０，４１）を設け、これら差込体（２０，４１）に錐状体部（２１）を設け、この錐状体部（２１）を前記スリーブ部（１４）の錐状体の先細テーパ輪郭に適合する形状にしたことを特徴とする導通路装置。
【請求項２】
少なくとも１個の差込体（２０，４１）の錐状体部（２１）の外面に、填隙材料で構成した填隙層（２６）を設けた請求項１記載の導通路装置。
【請求項３】
前記チャンネル（３１）を完全に封鎖するため、複数個の差込体（２０）を設けた請求項１または２記載の導通路装置。
【請求項４】
少なくとも１個の差込体（２０，４１）の一方の端部に、少なくとも１個のフランジ部（２２）を設けた請求項１乃至３のうちのいずれか一項に記載の導通路装置。
【請求項５】
少なくとも１個の差込体（２０，４１）の内部空間（２３）に、填隙材料を充填した請求項１乃至４のうちのいずれか一項に記載の導通路装置。
【請求項６】
少なくとも１個の差込体（２０，４１）の内部空間（２３）に、無機構造材料を充填した請求項１乃至４のうちのいずれか一項に記載の導通路装置。
【請求項７】
少なくとも１個の差込体（２０）に把手（２４）を設けた請求項１乃至６のうちのいずれか一項に記載の導通路装置。
【請求項８】
差込体（４１）に、予め導管貫通路（４２）を設けた請求項１乃至７のうちのいずれか一項に記載の導通路装置。
【発明の詳細な説明】
【技術分野】
【０００１】
本発明は、天井もしくは壁のような構造部分に設置する導通路装置であって、チャンネルを包囲するスリーブ部を有する少なくとも２個の枠体よりなる枠体を設け、少なくとも一方のスリーブ部を、一方の端部から他方の端部に向かって錐状体をなすよう先細テーパ付きに構成した該導通路装置に関するものである。このような導通路装置は、ダクト、例えば、導管もしくはケーブルチャンネルを、例えば、天井もしくは壁のような構造部分に火災の延焼を防止するよう案内するのに使用する。
【背景技術】
【０００２】
このような導通路装置は枠体を有し、この枠体を建造物を建造する際に、予め壁に組み込んでおき、導管を挿通するための場所を確保しておく。枠体内で自由に使用できる貫通空間は、供給導管の設置の際に、導管の挿通のために部分的にしか使用されず、したがって、残りの空間を、挿通後に填隙しなければならない。
【０００３】
コンクリートプレートにくり抜きを形成するため、コンクリートの型枠に２部分構成のスペース保持体を配置し、型枠プレートにコンクリートを注入する。２部分構成のスペース保持体における錐状体部分を、コンクリートプレートができた後、引き抜くことによってくり抜きが形成されるものがある。（例えば、特許文献１参照。）
【特許文献１】特開平１‐２７１５７９号公報
【０００４】
しかし、この従来技術においては、枠体が存在しておらず、貫通孔が安定しないという欠点がある。
【０００５】
さらに、互いに抜き差し可能な２個の枠体により構成したコンクリート壁または天井のための換気装置がある。（例えば、特許文献２参照。）第１枠体には、互いに軸線方向に離れた枠体を包囲する２個のリブを設け、一方の包囲リブを第２枠体の端部に掛合させ、双方の枠体を互いに結合する。リブ側とは反対側の枠体端部にフランジを設け、このフランジを周囲の壁に固定手段によって固定する。
【特許文献２】米国特許第５，４４４，９４７号明細書
【０００６】
しかし、この従来技術は、確かに換気ダクトとして機能するが、導管を延焼防止可能に挿通する導通路として使用することはできない。
【発明の開示】
【発明が解決しようとする課題】
【０００７】
したがって、本発明の目的は、従来の導通路装置の欠点を解決し、高い延焼防止機能を保証し、かつ組立が簡単になる導通路装置を得るにある。
【課題を解決するための手段】
【０００８】
この目的を達成するため、本発明導通路装置は、前記チャンネルに挿入可能な少なくとも１個の差込体を設け、これら差込体に錐状体部を設け、この錐状体部を前記スリーブ部の錐状体の先細テーパ輪郭に適合する形状にしたことを特徴とする。
【発明の効果】
【０００９】
本発明のこの構成によれば、簡単に閉鎖可能な導通路装置を準備でき、必要に応じて開口させて導管を挿通することができる。また導通路装置の設置性は良好である。
【発明を実施するための最良の形態】
【００１０】
本発明の好適な実施例においては、少なくとも１個の差込体の錐状体部の外面に、膨張性填隙材料で構成した填隙層を設け、差込体で閉鎖したときチャンネルを煙ガス密にすることができるようにする。代案として、この填隙層を、膨張性のない弾性密封材料を使用することもできる。
【００１１】
チャンネルを完全に封鎖するため、複数個の差込体を設けると好適である。この構成によれば、チャンネルは、１個またはそれ以上の差込体を取り外すことにより、部分的に開口させることができ、導管をチャンネルに挿通することができる。
【００１２】
好適な実施例においては、少なくとも１個の差込体の一方の端部に、少なくとも１個のフランジ部を設け、差込体を枠体の端縁もしくはフランジ部に支持できるようにし、または、枠体の対向するフランジ部に対して、例えば、ねじ手段により固定することができるようにする。
【００１３】
本発明の好適な実施例においては、少なくとも１個の差込体の内部空間に、膨張性填隙材料を充填する。この構成によれば、火災が発生したときに、チャンネルの付加的な密封を生ずることができ、差込体の消失を回避することができる。
【００１４】
さらに、本発明の他の好適な実施例においては、少なくとも１個の差込体の内部空間に、無機構造材料を充填する。この構成によれば、導通路装置は大きな荷重を支持でき、また、火災が発生した際に、やはり、差込体の消失を回避できる。
【００１５】
少なくとも１個の差込体に把手を設ける。この構成によれば、使用者は、差込体を容易につかむことができ、枠体を容易に引き抜いたり、嵌め込むことができるようになる。
【００１６】
さらに、予め導管貫通路を設けた他の差込体を設けると好適である。導管の組み付けの際に、チャンネルを閉鎖する差込体を枠体から取り外し、導管貫通路を予め設けた差込体を差し込む。この導管貫通路に、組み付け導管を接続することができる。構成部分におけるこの導管と導管貫通路との組み立てにより、作業性が極めて向上する。
【００１７】
次に、図面につき本発明の好適な実施例を説明する。
【実施例１】
【００１８】
図１〜図３に示す導通路装置１０は、チャンネル３１が貫通する矩形断面の枠体１１を有し、この枠体１１は、第１枠体部分１２および第２枠体部分１３により構成する。枠体部分１２，１３は、それぞれスリーブ部１４，１５を有する。第１枠体部分１２のスリーブ部１４は、フランジ部１６を設けた一方の端部１８から他方の端部１９に向かって先細テーパを付けた錐状体にする。同様に、第２枠体部分の一方の端部にフランジ部１７を設け、このフランジ部のスリーブ部１５側とは反対側の側面に封止素子２９を設ける。導通路装置１０は、さらに、複数個の差込体２０を有する。これら差込体２０の各々は、錐状体部２１と、２個のフランジ部２２とを有する。錐状体部２１は、第１枠体部分１２のスリーブ部１４の先細錐状形状に適合するものとする。フランジ部２２は、錐状体部２１の一方の端部から突出させる。差込体２０の内部空間２３は、軽量もしくは重量のある不燃性材料、例えば、コンクリートもしくはセメントのような無機材料、または膨張性填隙材料を充填する。錐状体部２１の外面２５を、弾性密封膨張性填隙材料により構成した填隙層２６によりカバーする。差込体２０には、さらに、把手２４を設ける。
【００１９】
例えば、コンクリート天井のような構造部分３０を形成する際に、導通路装置１０の枠体１１を少なくとも１個のコンクリート型枠内に固定し、枠体１１の封止素子２９によりコンクリート型枠に対して填隙する。枠体部分１２のスリーブ部１４は、前もって枠体部分１３のスリーブ部１５に挿入しておく。型枠内にコンクリートを注入して硬化した後、導通路装置１０は構造部分３０内に固定され、とくに、フランジ部１６，１７により固定され、これらフランジ部１６，１７は、図３から明らかなように、構造部分３０の開口端縁に掛合する。
【００２０】
枠体１１のチャンネル３１は差込体３０により閉鎖し、この差込体３０は、先細錐状のスリーブ部１４を有する枠体部分１２に差し込む（図３参照）。フランジ部２２において差込体２０を、枠体１１にねじ止めし、固定を確実にすることができる。弾性密封填隙材料により形成した填隙層２６により、チャンネル３１を煙ガス密に封止できる。構造部分３０に導管４０を導通させるためには、必要な箇所における１個またはそれ以上の差込体２０をチャンネルから取り外す。チャンネル３１の自由空間内に特別な差込体４１を挿入し、この差込体４１には、導管４０のための導通路４２を予め設けておく（図４参照）。この差込体４１は、差込体２０の外側輪郭にほぼ対応し、同様のフランジ部２２を設け、また構造部分３０に導管４０を貫通させる煙ガス密および延焼防止の導通路を保証する。代案として、導管をチャンネル３１の自由空間に直接挿通し、チャンネル３１における導管との隙間を、例えば、発泡材料の形式の填隙材料で填隙し、チャンネル３１における新たな煙ガス密状態を創出する。
【図面の簡単な説明】
【００２１】
【図１】本発明による導通路装置の分解斜視図である。
【図２】本発明による導通路装置の分解縦断面図である。
【図３】本発明による導通路装置を構造部分に設置した状態の縦断面図である。
【図４】構造部分に設置した導通路装置の一部に導管を挿通した状態の斜視図である。
【符号の説明】
【００２２】
１０  導通路装置
１１  枠体
１２  第１枠体部分
１３  第２枠体部分
１４  スリーブ部
１５  スリーブ部
１６  フランジ部
１７  フランジ部
１８  端部
１９  端部
２０  差込体
２１  錐状体部
２２  フランジ部
２３  内部空間
２４  把手
２５  外面
２６  填隙層
２９  封止素子
３０  構造部分
３１  チャンネル
【図１】
2006162070.tif 000003
【図２】
2006162070.tif 000004
【図３】
2006162070.tif 000005
【図４】
2006162070.tif 000006